(57)【要約】本発明は、照明器具台座（１０）と照明器具柄（１１）と光源（１２）とを備えた居住空間用照明器具、特に卓上スタンドまたはフロアスタンドであって、光源が、照明器具柄（１１）内に配置されたソケット（１３）内に交換可能に固定されている形式のものに関する。本発明により、光源は１つの発光ダイオード（１２）であるか、または複数の発光ダイオードから成っていて、該発光ダイオードが、照明器具柄（１１）内に配置されており、かつ照明器具柄端部に交換可能に被せ嵌められた発光体（２６）を照光しているようにした。
2004517454.tif 000002
【特許請求の範囲】
【請求項１】
照明器具台座（１０，２１）と照明器具柄（１１，２０）と光源とを備えた居住空間用照明器具、特に卓上スタンドまたはフロアスタンドであって、光源が、照明器具柄内に配置されたソケット内に交換可能に固定されている形式のものにおいて、光源が１つの発光ダイオード（１２）であるか、または複数の発光ダイオードから成っていて、該発光ダイオードが、照明器具柄（１１，２０）内に配置されており、かつ照明器具柄端部に交換可能に被せ嵌められた発光体（１４，１５；１６；１７）を照光していることを特徴とする、居住空間用照明器具、特に卓上スタンドまたはフロアスタンド。
【請求項２】
発光体（１４，１５，１６）が棒形または球形であって、透明な材料、有利にはプラスチックから成っている、請求項１記載の居住空間用照明器具。
【請求項３】
発光体が、照明器具柄（２０）上に被せ嵌められるスリーブ形またはリング形の取付装置を備えた照明器具傘（１７）である、請求項１または２記載の居住空間用照明器具。
【請求項４】
発光ダイオード（１２）が中空反射器内に配置されており、中空反射器の、背面の開口を発光ダイオードが通過するようになっており、この開口は、若干の遊びもしくは公差寸法を備えて、発光ダイオードの外周輪郭に等しい大きさを有している、請求項１から３までのいずれか１項記載の居住空間用ランプ。
【請求項５】
照明器具柄内に複数の発光ダイオードが設けられていて、有利には各発光ダイオードに個別的な反射器が対応配置されており、反射器内で発光ダイオードがセンタリングされており、かつ蜂の巣状に配置された複数個の反射器が、照明器具柄内周に適合させられた外周部を備えた、一体的な体に統合されている、請求項１から４までのいずれか１項記載の居住空間用照明器具。
【請求項６】
発光ダイオード（１２）が個別的またはグループごとに、制御回路または調整回路を介して操作可能である、請求項５記載の居住空間用照明器具。
【請求項７】
棒形、球形またはその他の形式で球面状に成形された、プラスチックから成る発光体が中実成形体であって、その外周面および／またはその内部に輪郭が、切欠き、隆起または材料圧密の形で加工成形されている、請求項２から６までのいずれか１項記載の居住空間用照明器具。
【請求項８】
棒形、球形またはその他の形式で球面状に成形された体が中空体であって、その外周面に輪郭が、切欠き、隆起または材料圧密の形で加工成形されている、請求項２から６までのいずれか１項記載の居住空間用照明器具。
【請求項９】
球形の発光体または球面状に成形された発光体が、組み合わされた２つのシェルもしくは半球シェルから成る、請求項８記載の居住空間用照明器具。
【請求項１０】
中空体が吹込成形法または射出成形法により製作されている、請求項８または９記載の居住空間用照明器具。
【請求項１１】
照明器具柄が棒形の懐中電灯として形成されており、内部に空洞を電池装填室として有しており、該電池装填室は、照明器具柄を照明器具台座からねじり外した後には、電池装填室蓋を用いて閉鎖可能である、請求項１から１０までのいずれか１項記載の居住空間用ランプ。
【発明の詳細な説明】
【０００１】
本発明は、照明器具台座と照明器具柄と光源とを備えた居住空間用照明器具、特に卓上スタンドまたはフロアスタンドであって、光源が、照明器具柄内に配置されたソケット内に交換可能に固定されている形式のものに関する。
【０００２】
従来慣用の卓上スタンドまたはフロアスタンドでは白熱電球が使用されており、白熱電球はねじ込み式ソケット内にねじ込まれ、それを介して、電圧源とのコンタクトが形成可能である。当該の電流回路内にＯＮ／ＯＦＦスイッチが配置されている。そのような照明器具において２つまたはそれより多くの電球が別々にまたはグループごとに切り換えられるべき場合には、ＯＮ／ＯＦＦスイッチは、複数の切換位置を備えたスイッチ（Ｓｔｕｆｅｎｓｃｈａｌｔｅｒ）として形成されていてもよい。しかし、白熱電球を備えた照明器具が有する欠点は、供給された電気的なエネルギは、弱い照度を得られるだけで、大部分が熱として失われてしまうことにある。フィラメントを備えた電球はまた、比較的に短い時間だけ、すなわちフィラメントが燃え尽きるまでしか長持ちしない。
【０００３】
照度に関して言えば、かなりの改善が、いわゆる「クリプトンランプ」または「ハロゲンランプ」により提供される。後者は、差込可能なコンタクトを有しており、コンタクトは対応するソケット内に挿入される。
【０００４】
本発明の課題は、冒頭で述べた形式の居住空間用照明器具を改良し、電流を節約して運転できるようにするとともに、拡張された構成可能性を提供することである。
【０００５】
この課題は、請求項１の特徴部に記載された、光源が１つの発光ダイオードであるか、または複数の発光ダイオードから成っていて、該発光ダイオードが、照明器具台座内に配置されており、かつ照明器具柄端部に交換可能に被せ嵌められた発光体を照光していることを特徴とする居住空間用照明器具により解決される。
【０００６】
有利には発光体は棒形または球形であって、透明な材料から成っている。このために特にガラスまたはプラスチックが考えられ、ガラスまたはプラスチックは場合によっては色付けされていてもいいし、もしくは部分透明であってもよい。本発明による居住空間用照明の特別な利点は、元々比較的に大きな構造を有していて、それに加えてより良好に熱導出するためにはさらに別のスペースを必要としてしまう白熱電球の代わりに、今回は、容積の小さな発光ダイオードが使用されることであって、発光ダイオードは比較的に小さな直径を備えた柄内に位置している。光源を照明器具柄内に移転することにより、またはそれどころか照明器具柄を省略した場合には、照明器具台座内に移転することにより、光源により照光される発光体を任意に成形する可能性が提供される。この体の、保証された交換可能性によって、照明器具形状も大きな手間を必要とすることなしに迅速に変換されることができる。単数又は複数の発光ダイオードは長い耐久性を有しているので、通常のケースでは、発光ダイオード交換は全く必要ないかまたはごく稀に必要となるにすぎない。
【０００７】
著しく短い燃焼持続時間に基づいて頻繁に交換されなければならない白熱電球の場合とは異なり、発光ダイオードを使用した場合には、同様の接近性を照明器具柄内に製作する必要はない。発光ダイオードの別の利点は省エネルギな運転にあって、この場合、ほぼ同等の白熱電球を運転するために消費されることになるエネルギの僅か１３％を必要とするにすぎない。
【０００８】
但し択一的に、照光される発光体として照明器具傘が使用されてもよく、照明器具傘はスリーブ形またはリング形の取付装置を有しており、この取付装置が照明器具柄に直接的に被せ嵌められる。背景技術では照明器具傘は常に、電球のためのねじ込み式ソケットに固定されなければならなかったし、照光される照明器具傘材料は電球に対して大きな間隔を有していなければならなかった。これに対して、本発明の枠内では、そのような制限はもはや存在しない。
【０００９】
本発明の別の構成では、ＬＥＤは中空反射器内に配置されており、中空反射器の、背面の開口をＬＥＤが通過するようになっている。この開口は、若干の遊びもしくは公差寸法を備えて、差し通された発光ダイオードの外周輪郭に合致するサイズを有している。この中空反射器は発光効率を高める働きをしている。確かに発光ダイオードガラス体の形状に基づいて、発光ダイオードの主照射方向は比較的に小さな円錐角寸法に限られてはいるが、側方に放射されて、反射器を使用しなければ吸収により失われてしまう放射量は無視できない。さらに、発光ダイオードは反射器によりセンタリングされる。すなわち、発光ダイオードは反射器の被せ嵌め時にいずれにしても、針金状の電流接続部が幾分軽く屈折させられることで、直立した状態に整列させられるので、発光ダイオードは正確に長手方向軸線に方向付けられている。中空反射器自体はその外周構造を介して照明器具柄内に適当な形式でセンタリングされることができる。複数の発光ダイオードが使用される場合、有利には各発光ダイオードに個別的な反射器が対応配置され、その中で発光ダイオードはセンタリングされている。場合によっては、複数個の、蜂の巣状に配置された反射器は、照明器具柄内周に適合された外周部を備えた一体的な体に統合されていることができる。
【００１０】
多数の発光ダイオードは適当な制御回路または調整回路を介して個別的に操作可能であってもよいし、グループ単位で操作可能であってもよい。原理的にはフロアスタンドまたは卓上スタンドにおいて知られているように、この場合、段階式の切換（Ｓｔｕｆｅｎｎｓｃｈａｌｔｕｎｇ）により光度が段階的に高められることができる。調整回路を介して無段式の変更も可能である。放射可能なその都度異なる色スペクトルを備えた、種々異なるダイオードを使用した場合、調整回路を介して、放射される混色を変化させることもできる。
【００１１】
本発明の別の構成では、棒形、球形または別の形式で球面状に形成された、プラスチックから成る発光体が中実成形体であって、その外周面におよび／またはその内部に輪郭が、切欠き、隆起部または材料圧密部の形で加工成形されている。これに対して択一的に、当該の発光体が中空体であってもよく、その外周面に、上に挙げたような種類の輪郭が加工成形されている。前述したすべての場合において、発光体内または発光体に、その他の領域に対して変化させられた光学的な屈折率を有する領域が形成される。このことは屈折および／または光反射を生ぜしめ、それによって、輪郭に応じて際立った空間的形状を光り輝くように表現することができる。中実成形体の最も簡単な例において、そのような輪郭は、成形体外周部が部分的に粗面化されるか、環、螺線形またはこれに類するものが切削加工により外周面に細工されるか、または適当なレーザ加工法によって外周面または内部に彫り込みが細工されることにより生ぜしめられることができる。特に、レーザ加工は、今日使用されている集束により、適当な局所的な加熱を可能にし、この加熱によって中空体または中実体は（後者の場合には内部にも）加工されることができる。
【００１２】
製作技術上の理由から、所定の体ならびに球形の発光体においては、その縁部でつなぎ合わされる２つの半シェルを製作することが推奨される。特に、中空体は吹込成形法または射出成形法により製作される。
【００１３】
本発明の枠内で居住空間用照明器具のさらに別の変化形も可能であって、この変化形では、照明器具柄は棒形の懐中電灯として形成されており、電池装填室としての内側の中空空間を有している。この電池装填室は、照明器具柄を照明器具台座からねじり外した後に電池装填室蓋を用いて閉鎖可能である。この手段により、発光体を取り外し、照明器具柄をひねって外し、適当な電池セット（要求される電圧に応じて）を装備し、電池装填室をカバーによって閉鎖することが可能であって、したがって、プッシュロックスイッチを備えて形成された照明器具柄はポータブルな懐中電灯として使用可能である。当該の居住空間用照明器具はこの場合、照明器具台座から、端部側にコンタクトを備えたピンが突出しているように形成されており、このコンタクトは、照明器具柄が照明器具台座内で螺入されている場合、電池装填室の端部にまで達してダイオードの断ち接ぎ可能な電圧供給のために働く。
【００１４】
これに対して択一的に、外からの電流供給を完全に省略することが可能であることは自明であって、照明器具台座は、そこに存在する孔内に、電池を装備した懐中電灯が尻側で挿入され、照明器具頭部上に、照光される発光体が被せられるように構成されていることができる。発光体は有利には、差込連結部を有しているように構成されており、この差込連結部が、照明器具頭部端部に設けられた自由な開口内にクランプ式に差し込まれる。
【００１５】
以下に図面を参照しながら本発明の実施例について詳説する。
【００１６】
居住空間用照明器具は照明器具台座１０を有しており、照明器具台座１０は一般に側部のケーブル通路を有しており、ケーブル通路を通って電流コードが案内されている。照明器具台座内には場合によって変圧器が配置されていてもよく、ただし、所望する照明器具台座の大きさに基づいて、変圧器を外付け配置することが必要になる場合もあり得る。この照明器具台座から垂直方向に照明器具柄１１が延びており、この照明器具柄１１内部に、ソケット１３内に差し込まれている発光ダイオード１２が収容されている。発光ダイオード１２は２つの針金形のコンタクトを有しており、コンタクトは、背景技術により知られているハロゲンランプの場合と近似した形で、対応するブシュ内に差し込まれ、ブシュは電気的な給電線を介して電圧を供給されることができる。照明器具柄端部には本発明により発光体が被せ嵌められており、この発光体は、図１および図２に示されているように、アクリル球、ここでは照明器具柄１１の端部に被せ嵌めるための柄連結部１５を備えたアクリル球であってもよいし、または図３および図４に示したアクリル棒１６から成っていてもよい。アクリル棒１６は本例では照明器具柄と同じ直径を有して構成されている。図１〜図４から判るように、照明器具台座と照明器具柄とから成る同じ下部構造体が常に使用され、それに対して発光体は交換可能であり、その形状構成に関して極めて多様なバリエーションが存在する。
【００１７】
図５、図６、図７には照明器具が照明器具傘１７と共に示されており、照明器具傘１７はその下面に、実質的に閉鎖された蓋１８を有しており、この蓋１８の中央には、ほぼスリーブ形の収容部１９が配置されていて、収容部１９が照明器具柄２０上に被せ嵌められている。照明器具柄２０は本例では、光源として発光ダイオードを備えた棒形の懐中電灯から成っている。この棒形の懐中電灯は照明器具台座内に差し込まれることになるが、そのために照明器具台座は中央に収容開口を有している。収容開口の形状は、懐中電灯が照明器具頭部とは反対側の端部に有する形状と一致するようになっている。このような照明器具の場合、照明器具傘を取り外し、懐中電灯を照明器具台座から解離して携行することができる。この場合、電流供給は、照明器具柄空洞内に装填された電池を介して保証されるか、これに対して択一的に使用可能であって、慣用のコンセントに変圧器を介して接続されるアダプタを介して保証される。
【００１８】
図８ａ〜図８ｃに示した（ここでは卓上スタンドとしての）居住空間用照明器具型式には、ディスク状の照明器具台座２２が示されている。照明器具台座２２はブシュを有しており、このブシュ内にプラグ２３が電圧供給のために挿入可能である。照明器具台座から、そこにねじ山結合部を介して螺入可能な照明器具柄２４が垂直に屹立しており、この照明器具柄２４は、図５に示した照明器具の照明器具柄２０に等しく、内部に空洞を電池装填室（Ｂａｔｔｅｒｉｅｓｃｈｕｂｆａｃｈ）として有しており、この電池装填室は端部側のカバー２５を介して（ねじ締結を解いて電池を挿入した後に）閉鎖可能であるので、照明器具柄２４は、発光体２６と分離されて、懐中電灯として使用されることができる。照明器具柄はＯＮ／ＯＦＦスイッチ２５を有しており、このＯＮ／ＯＦＦスイッチ２５を介してダイオード（図８ｂ参照）２６をＯＮに切り換えることができる。図８ａおよび図８ｃに示された状態では、電池用空洞内にコンタクト柱２７が突入しており、コンタクト柱２７はスイッチ２５を介してダイオードの電圧供給のために働く。照明器具頭部の開いた端部内に、発光体２６に結合されている円筒形の連結部が挿入されているので、発光体２６は摩擦接続式もしくは締着式に固定されている。発光体２６は本例では２つの球形の半シェルから成っており、半シェルはプラスチック吹込成形法により製作されていて、１つの球をなすように互いに結合されている。
【００１９】
卓上スタンドまたはフロアスタンドとして形成されていることができる居住空間用照明器具の別の変化実施例が図９ａ〜ｃ、図１０および図１１に示されている。これらの変化実施例においても、照明器具台座２２内でプラグ２３を介して電流供給が行われている。発光体として、実質的に棒形のアクリルガラス中実体２７が働いており、アクリルガラス中実体２７には外周面に溝２８が加工成形されている。照明器具柄２４にはその上側の端部に、複数の、例えば８つの発光ダイオード２９が装備されており、発光ダイオード２９はその都度、種々異なる色（例えば赤、青、緑）の単色光を放射する。それにより、例えば赤色光を放射する３つのダイオード、青色光を放射する３つのダイオード、緑色光を放射する２つのダイオードが互いに組み合わされることができ、この場合、各ダイオード色、つまり同じ光色を有したダイオードの各グループは、複数のスイッチ３０のうちの１つを介してＯＮ・ＯＦＦに切り換えられることができる（第３のスイッチは図面では隠れていて目視不能である）。単数又は複数のダイオードをＯＮに接続すると、垂直に上方に向けて発光体２７の方向に放射された光は溝２８の領域で屈折もしくは反射され、それによって、溝２８を、光り輝くリングであるかのうよう見せる効果をもたらす。
【００２０】
図１０に示された照明器具も相応に構成されており、但しこの場合、環状の溝の代わりに、長手方向軸線に対して平行に延びる長手方向溝３１がアクリルガラス体２７に加工成形されている。同じことが図１１に示した照明器具にも言えて、この場合は、溝３２は螺旋形に発光体２７のボディ外周部を取り巻いて延びている。当該の溝は切削加工工具、レーザまたはこれに類する手段により加工成形されることができる。溝の代わりに、適当な形状構成のリブ状の凸部が使用されてもよいし、または外周面において例えば中実体内に細工した任意の輪郭、つまり幾何学的な模様、図柄またはこれに類するものが使用されてもよい。図８〜図１０に示した照明器具形状においては、放射された光が界面で屈折または事情によっては反射もされることによって、特別な効果が得られる。その結果、垂直の放射が上方に到達するのみならず、空間的な光の産物（図８ではほぼ、照光されたシャボン玉の形状で、その他の場合では、刻み込まれた輪郭に従って）が生ぜしめられる。
【００２１】
達成される効果は、種々異なる光色の複数のダイオードが別々に切換可能であるかもしくはその明るさが調整可能である場合にさらに強められる。この場合、混合色が生ぜしめられる。混合色は、接続時間にわたってコンスタントに維持することができるし、適当に回路を配置した場合には、周期的または連続的に変換することができる。色のバリエーションの数は放射強度と同様に任意に変更される。
【図面の簡単な説明】
【図１】
第一の実施例の側面図である。
【図２】
図１に示した照明器具の横断面図である。
【図３】
別の実施形態の側面図である。
【図４】
図３に示した実施形態の横断面図である。
【図５】
別の実施形態の、部分的に断面した側面図である。
【図６】
図５に示した実施形態の斜視図である。
【図７】
図５に示した実施形態の、さらに別の方向から見た斜視図である。
【図８ａ】
球形の発光体を備えた、本発明の別の実施形態の斜視図である。
【図８ｂ】
図８ａに示した実施形態の部分断面図である。
【図８ｃ】
図８ａに示した実施形態の側面図である。
【図９ａ】
棒形の発光体を備えた本発明による照明器具の別の実施形態を示す側面図であって、発光体の外周面には複数の環状の切欠きが加工成形されている。
【図９ｂ】
棒形の発光体を備えた本発明による照明器具の別の実施形態を示す断面図であって、発光体の外周面には複数の環状の切欠きが加工成形されている。
【図９ｃ】
棒形の発光体を備えた本発明による照明器具の別の実施形態を示す斜視図であって、発光体の外周面には複数の環状の切欠きが加工成形されている。
【図１０】
外周面に直線的に形成された切欠きを備えた棒形の発光体を備えた、別の実施例の斜視図である。
【図１１】
外周面に螺旋状の切欠きが設けられている棒形の発光体を備えた、照明器具の斜視図である。
【国際公開パンフレット】
2004517454.tif 000003
2004517454.tif 000004
2004517454.tif 000005
2004517454.tif 000006
2004517454.tif 000007
2004517454.tif 000008
2004517454.tif 000009
2004517454.tif 000010
2004517454.tif 000011
2004517454.tif 000012
2004517454.tif 000013
2004517454.tif 000014
2004517454.tif 000015
2004517454.tif 000016
2004517454.tif 000017
2004517454.tif 000018
2004517454.tif 000019
2004517454.tif 000020
2004517454.tif 000021
2004517454.tif 000022
2004517454.tif 000023
【国際調査報告】
2004517454.tif 000024
2004517454.tif 000025
2004517454.tif 000026
2004517454.tif 000027